(57)【要約】【課題】入球口の真上付近に誘導釘を配置する場所が制限された場合においても、入球口の上方から流下してくる遊技球を誘導釘へ導いて入球口へ誘導可能にする。【解決手段】開閉部材３３，３４を備える入球装置２１と、遊技領域６を流下してきた遊技球を入球口２３，２４の横方向から入球口の方向へ誘導する複数の誘導釘とが設けられた弾球遊技機において、複数の誘導釘は、開閉部材の移動範囲Ｓより外方に配設されると共に入球口へ向けて横方向へ遊技球が通過可能なように略上下に離して配設された上誘導釘Ｋ１，Ｋ２と下誘導釘Ｋ３，Ｋ４とで少なくとも構成され、入球口の上部には、入球口への真上からの遊技球の入球を阻止すると共に入球が阻止された遊技球を上誘導釘の方向へ導く阻止部材６８，６９が、上誘導釘との間を遊技球の通過不可能な間隔にして設けられている。【選択図】      図２
2006333885.tif 000002
【特許請求の範囲】
【請求項１】
遊技球を流下させる遊技領域が盤面に設けられた遊技盤を備え、
前記遊技領域には、遊技球の入球可能な入球口と前記遊技盤の盤面に対し略平行に移動して前記入球口に遊技球が入球し易い第一位置と前記入球口に遊技球が入球し難いあるいは入球不可能な第二位置の間を変位する開閉部材とを備える入球装置と、前記遊技領域を流下してきた遊技球を前記入球口の横方向から前記入球口の方向へ誘導する複数の誘導釘とが設けられた弾球遊技機において、
前記複数の誘導釘は、前記開閉部材の移動範囲より外方に配設されると共に前記入球口へ向けて横方向へ遊技球が通過可能なように略上下に離して配設された上誘導釘と下誘導釘とで少なくとも構成され、
前記入球口の上部には、前記入球口への真上からの遊技球の入球を阻止すると共に入球が阻止された遊技球を前記上誘導釘の方向へ導く阻止部材が、前記上誘導釘との間を遊技球の通過不可能な間隔にして設けられていることを特徴とする弾球遊技機。
【請求項２】
前記上誘導釘及び前記下誘導釘の少なくとも一方は、前記入球口への遊技球の入球し易さを調節可能な入球調節釘であることを特徴とする請求項１に記載の弾球遊技機。
【請求項３】
前記開閉部材は、前記第二位置のときに遊技球が入球し難いあるいは入球不可能となるように前記入球口を塞ぎ、前記第一位置となるときに前記開閉部材の移動軌跡が略扇形形状となるように前記入球口の外方へ回動することを特徴とする請求項１または２に記載の弾球遊技機。
【請求項４】
前記入球口は、前記入球装置の側部に横方向からの入球を可能に形成されていることを特徴とする請求項１から３の何れか一項に記載の弾球遊技機。
【請求項５】
前記開閉部材は、前記入球装置の側部における前記入球口に一端側が軸支されて回動可能とされると共に、前記入球口の外方へ向けて略横方向になった状態が前記第一位置とされる一方、略上下方向に起立した状態が前記第二位置とされることを特徴とする請求項４に記載の弾球遊技機。
【請求項６】
前記下誘導釘は、前記開閉部材が前記第一位置のときに前記開閉部材の先端との間が遊技球の通過不可能な間隔に設定されていることを特徴とする請求項５に記載の弾球遊技機。
【請求項７】
前記上誘導釘及び前記阻止部材の少なくとも一方は、前記開閉部材が前記第二位置のときに前記開閉部材の先端側との間が遊技球の通過不可能な間隔に設定されていることを特徴とする請求項５または６に記載の弾球遊技機。
【請求項８】
前記入球口より上方位置となる前記入球装置の上部に接して前記阻止部材が設けられていることを特徴とする請求項１から７の何れか一項に記載の弾球遊技機。
【請求項９】
前記入球装置の上方側には、遊技球が上方から入球可能な第二入球口を有する第二入球装置を配設し、前記阻止部材は前記第二入球装置の側部から前記上誘導釘に向けて設けられていることを特徴とする請求項１から８の何れか一項に記載の弾球遊技機。
【請求項１０】
前記入球装置の上部と前記第二入球装置の下部が接していることを特徴とする請求項９に記載の弾球遊技機。
【請求項１１】
前記上誘導釘は、前記第二入球装置の斜め下方側に配設されており、前記阻止部材は前記入球装置の上部で前記第二入球装置の側部から斜め下方側に向けて前記上誘導釘にほぼ至るまで設けられていることを特徴とする請求項９または１０に記載の弾球遊技機。
【請求項１２】
前記入球装置と前記第二入球装置は、前記遊技盤に取り付けることが可能な台板を備えたことを特徴とする請求項９から１１の何れか一項に記載の弾球遊技機。
【請求項１３】
前記入球装置を前記遊技盤に取り付けることが可能な第一台板と、前記第二入球装置を前記遊技盤に取り付けることが可能な第二台板とを備えたことを特徴とする請求項９から１２の何れか一項に記載の弾球遊技機。
【請求項１４】
前記阻止部材の先端と前記上誘導釘との間が遊技球１個分未満の間隔に設定され、前記阻止部材の先端と前記上誘導釘との間に遊技球滞留防止部材が設けられていることを特徴とする請求項１から１３の何れか一項に記載の弾球遊技機。
【発明の詳細な説明】
【技術分野】
【０００１】
本発明は、遊技球の入球可能な入球口を有する入球装置と、遊技領域を流下する遊技球を入球口へ誘導する複数の誘導釘とを遊技領域に有する弾球遊技機に関する。
【背景技術】
【０００２】
従来、パチンコ機等の弾球遊技機には、遊技球の入球可能な入球口を有する入球装置と、遊技領域を流下する遊技球を入球口へ誘導する複数の誘導釘とを遊技領域に有するものがある。
【０００３】
しかしながら、例えば、入球装置の構成等によっては、入球口の真上付近に誘導釘を配置する場所を設けることができないことがあり、入球口の上方から遊技領域を流下してくる遊技球が入球口へ誘導されないおそれがあり、遊技の興趣を損なうことがある。
【特許文献１】特開２００４−１４１４４３号公報
【発明の開示】
【発明が解決しようとする課題】
【０００４】
本発明は、前記の点に鑑みなされたものであり、入球口の真上付近に誘導釘を配置する場所が制限された場合においても、入球口の上方から流下してくる遊技球を誘導釘によって入球口へ誘導することが可能な弾球遊技機の提供を目的とする。
【課題を解決するための手段】
【０００５】
請求項１の発明は、遊技球を流下させる遊技領域が盤面に設けられた遊技盤を備え、前記遊技領域には、遊技球の入球可能な入球口と前記遊技盤の盤面に対し略平行に移動して前記入球口に遊技球が入球し易い第一位置と前記入球口に遊技球が入球し難いあるいは入球不可能な第二位置の間を変位する開閉部材とを備える入球装置と、前記遊技領域を流下してきた遊技球を前記入球口の横方向から前記入球口の方向へ誘導する複数の誘導釘とが設けられた弾球遊技機において、前記複数の誘導釘は、前記開閉部材の移動範囲より外方に配設されると共に前記入球口へ向けて横方向へ遊技球が通過可能なように略上下に離して配設された上誘導釘と下誘導釘とで少なくとも構成され、前記入球口の上部には、前記入球口への真上からの遊技球の入球を阻止すると共に入球が阻止された遊技球を前記上誘導釘の方向へ導く阻止部材が、前記上誘導釘との間を遊技球の通過不可能な間隔にして設けられていることを特徴とする。
【０００６】
請求項２の発明は、請求項１において、前記上誘導釘及び前記下誘導釘の少なくとも一方は、前記入球口への遊技球の入球し易さを調節可能な入球調節釘であることを特徴とする。
【０００７】
請求項３の発明は、請求項１又は２において、前記開閉部材は、前記第二位置のときに遊技球が入球し難いあるいは入球不可能となるように前記入球口を塞ぎ、前記第一位置となるときに前記開閉部材の移動軌跡が略扇形形状となるように前記入球口の外方へ回動することを特徴とする。
【０００８】
請求項４の発明は、請求項１から３の何れか一項において、前記入球口は、前記入球装置の側部に横方向からの入球を可能に形成されていることを特徴とする。
【０００９】
請求項５の発明は、請求項４において、前記開閉部材は、前記入球装置の側部における前記入球口に一端側が軸支されて回動可能とされると共に、前記入球口の外方へ向けて略横方向になった状態が前記第一位置とされる一方、略上下方向に起立した状態が前記第二位置とされることを特徴とする。
【００１０】
請求項６の発明は、請求項５において、前記下誘導釘は、前記開閉部材が前記第一位置のときに前記開閉部材の先端との間が遊技球の通過不可能な間隔に設定されていることを特徴とする。
【００１１】
請求項７の発明は、請求項５または６において、前記上誘導釘及び前記阻止部材の少なくとも一方は、前記開閉部材が前記第二位置のときに前記開閉部材の先端側との間が遊技球の通過不可能な間隔に設定されていることを特徴とする。
【００１２】
請求項８の発明は、請求項１から７の何れか一項において、前記入球口より上方位置となる前記入球装置の上部に接して前記阻止部材が設けられていることを特徴とする。
【００１３】
請求項９の発明は、請求項１から８の何れか一項において、前記入球装置の上方側には、遊技球が上方から入球可能な第二入球口を有する第二入球装置を配設し、前記阻止部材は前記第二入球装置の側部から前記上誘導釘に向けて設けられていることを特徴とする。
【００１４】
請求項１０の発明は、請求項９において、前記入球装置の上部と前記第二入球装置の下部が接していることを特徴とする。
【００１５】
請求項１１の発明は、請求項９または１０において、前記上誘導釘は、前記第二入球装置の斜め下方側に配設されており、前記阻止部材は前記入球装置の上部で前記第二入球装置の側部から斜め下方側に向けて前記上誘導釘にほぼ至るまで設けられていることを特徴とする。
【００１６】
請求項１２の発明は、請求項９から１１の何れか一項において、前記入球装置と前記第二入球装置は、前記遊技盤に取り付けることが可能な台板を備えたことを特徴とする。
【００１７】
請求項１３の発明は、請求項９から１２の何れか一項において、前記入球装置を前記遊技盤に取り付けることが可能な第一台板と、前記第二入球装置を前記遊技盤に取り付けることが可能な第二台板とを備えたことを特徴とする。
【００１８】
請求項１４の発明は、請求項１から１３の何れか一項において、前記阻止部材の先端と前記上誘導釘との間が遊技球１個分未満の間隔に設定され、前記阻止部材の先端と前記上誘導釘との間に遊技球滞留防止部材が設けられていることを特徴とする。
【発明の効果】
【００１９】
請求項１の発明によれば、遊技領域には、遊技球の入球可能な入球口と遊技盤の盤面に対し略平行に移動して前記入球口に遊技球が入球し易い第一位置と前記入球口に遊技球が入球し難いあるいは入球不可能な第二位置の間を変位する開閉部材とを備える入球装置と、前記遊技領域を流下してきた遊技球を前記入球口の横方向から前記入球口の方向へ誘導する複数の誘導釘とが設けられた弾球遊技機において、前記複数の誘導釘は、前記開閉部材の移動範囲より外方に配設されると共に前記入球口へ向けて横方向へ遊技球が通過可能なように略上下に離して配設された上誘導釘と下誘導釘とで少なくとも構成され、前記入球口の上部には、前記入球口への真上からの遊技球の入球を阻止すると共に入球が阻止された遊技球を前記上誘導釘の方向へ導く阻止部材が、前記上誘導釘との間を遊技球の通過不可能な間隔にして設けられている構成により、入球口の真上方向において誘導釘の配置する場所が制限された場合においても、入球口の上方から遊技領域を流下してくる遊技球を誘導釘に誘導され易くすることができ、入球口へ誘導し易くすることが可能となる。
【００２０】
請求項２の発明によれば、上誘導釘及び下誘導釘の少なくとも一方は、入球口への遊技球の入球し易さを調節可能な入球調節釘である構成により、入球口への入球し易さを調節することが可能となる。
【００２１】
請求項３の発明によれば、開閉部材は、第二位置のときに遊技球が入球し難いあるいは入球不可能となるように前記入球口を塞ぎ、第一位置となるときに前記開閉部材の移動軌跡が略扇形形状となるように前記入球口の外方へ回動する構成により、開放部材の略扇形形状の回動によって入球口を大きく見せることができ、入球口への遊技球の入球が容易であるかのように遊技者に感じさせることが可能である。
【００２２】
請求項４の発明によれば、入球口は、入球装置の側部に横方向からの入球を可能に形成されている構成により、入球口の上方から遊技領域を流下する遊技球が横方向から入球口に入球することが可能である。
【００２３】
請求項５の発明によれば、開閉部材は、入球装置の側部における入球口に一端側が軸支されて回動可能とされると共に、前記入球口の外方へ向けて略横方向になった状態が第一位置とされる一方、略上下方向に起立した状態が第二位置とされる構成により、開閉部材の回動により入球口へ遊技球が入球し易い状態と入球し難いあるいは入球不可能な状態を構成することが可能となる。
【００２４】
請求項６の発明によれば、下誘導釘は、開閉部材が第一位置のときに開閉部材の先端との間が遊技球の通過不可能な間隔に設定されている構成により、開閉部材が第一位置のときに流下する遊技球を下誘導釘により入球口に入球し易くすることが可能である。
【００２５】
請求項７の発明によれば、上誘導釘及び阻止部材の少なくとも一方は、開閉部材が第二位置のときに開閉部材の先端側との間が遊技球の通過不可能な間隔に設定されている構成により、開閉部材が第二位置のときに流下する遊技球が開閉部材の少なくとも先端部に衝突するおそれを低減し、開閉部材の破損や摩耗などを防止することが可能である。
【００２６】
請求項８の発明によれば、入球口より上方位置となる入球装置の上部に接して阻止部材が設けられている構成により、阻止部材と入球装置の配置場所を小さくすることが可能である。
【００２７】
請求項９の発明によれば、入球装置の上方側には、遊技球が上方から入球可能な第二入球口を有する第二入球装置を配設し、阻止部材は第二入球装置の側部から上誘導釘に向けて設けられている構成により、上方から流下する遊技球を第二入球装置の第二入球口へ入球させることが可能となると共に、第二入球口へ入球しない遊技球は、上誘導釘に誘導し易くすることが可能である。
【００２８】
請求項１０の発明によれば、入球装置の上部と第二入球装置の下部が接している構成により、入球装置と第二入球装置の設置場所を小さくすることが可能である。
【００２９】
請求項１１の発明によれば、上誘導釘は、第二入球装置の斜め下方側に配設されており、阻止部材は入球装置の上部で第二入球装置の側部から斜め下方側に向けて上誘導釘にほぼ至るまで設けられている構成により、流下する遊技球をスムーズに上誘導釘に誘導することが可能であると共に入球口の上方側で球詰まりのおそれを低減することが可能である。
【００３０】
請求項１２の発明によれば、入球装置と第二入球装置は、遊技盤に取り付けることが可能な台板を備えた構成により、部材を少なくして入球装置と第二入球装置を遊技盤に着脱することが可能となる。
【００３１】
請求項１３の発明によれば、入球装置を遊技盤に取り付けることが可能な第一台板と、第二入球装置を遊技盤に取り付けることが可能な第二台板とを備えた構成により、入球装置と第二入球装置とを各々独立して遊技盤に着脱することが可能であり、例えば、入球装置及び第二入球装置の何れかあるいは両方が破損などした場合には、破損などした部材のみを交換することが可能である。
【００３２】
請求項１４の発明によれば、阻止部材の先端と上誘導釘との間が遊技球１個分未満の間隔に設定され、阻止部材の先端と上誘導釘との間に遊技球滞留防止部材が設けられている構成により、阻止部材を流下する遊技球が阻止部材と上誘導釘との間から流下するのを防止可能であると共に阻止部材と上誘導釘との間で球詰まりなどのおそれを低減することが可能である。
【発明を実施するための最良の形態】
【００３３】
以下添付の図面に基づき本発明の好適な実施形態を説明する。図１は本発明の一例に係る弾球遊技機を示す正面図、図２は同弾球遊技機の遊技盤の正面図、図３は同弾球遊技機の大入賞入球口付近の正面図、図４は同大入賞入球口の開閉部材が第二位置の状態を示す遊技盤の正面図、図５は同大入賞入球口の開閉部材が第一位置の状態を示す遊技盤の正面図、図６は同弾球遊技機の台板と大入賞装置及び始動入賞装置の分解斜視図、図７は同大入賞装置の開閉部材が第一位置のときと第二位置のときの状態を示す斜視図及び開閉部材及び連動可動部材の分解斜視図、図８は台板の他の例を示す斜視図である。
【００３４】
図１に示すこの実施例の弾球遊技機１は、遊技媒体として遊技球を用いるパチンコ遊技機であって、遊技盤３の縁に遊技球の外側ガイドレール４及び内側ガイドレール５が略円形に立設されている。図２にも示すように、前記遊技盤３の盤面（遊技盤の表面）には前記内側ガイドレール５によって囲まれた遊技領域６の中心線上にその上部から下部に向かって順に表示装置７、普通図柄変動開始用中ゲート７０、始動入賞装置１１、大入賞装置２１、アウト口７１が配設され、また上方左側には普通図柄変動開始用左ゲート７２、その下方に風車７７が配設されている。前記始動入賞装置１１の左右には左袖入球口７３と右袖入球口７４、その下方に左落とし入球口７５、右落とし入球口７６が配設されている。なお、普通図柄変動開始用中ゲート７０は、始動入賞装置１１とは異なる第二始動入賞装置としてもよい。その場合、始動入賞装置１１に入賞した際の賞球数と第二始動入賞装置に入賞した際の賞球数は同じにしてもよいし、異なる構成にしてもよい。
【００３５】
前記表示装置７は、特別図柄表示部８と、前記特別図柄表示部８の左下に組み込まれた普通図柄表示部９とよりなる。前記特別図柄表示部８は、液晶，ドットマトリックス若しくはＬＥＤ表示装置等の表示装置からなる。本実施例では、液晶表示器（ＴＦＴ−ＬＣＤモジュール）で構成される。前記普通図柄表示部９は、前記特別図柄表示部８を構成する液晶表示器の一部を普通図柄表示部の表示領域としている。
【００３６】
前記特別図柄表示部８は、図柄を可変表示可能なものとされ、大当たり判定結果用の特別図柄が所定時間変動表示された後に停止表示可能とされ、停止表示された図柄組合せによって当否判定結果が表示される。本実施例の特別図柄表示部８には、左側表示領域、中央表示領域、右側表示領域の３つの表示領域が設けられ、それぞれの表示領域に『０，１，２，３，４，５，６，７，８，９，１０，１１』の１２種類の特別図柄が表示可能とされている。
【００３７】
前記普通図柄表示部９は、小当たり判定結果用の図柄として記号或いは絵等からなる普通図柄が変動表示及び停止表示可能とされている。本実施例における前記普通図柄表示部９に変動及び停止表示される普通図柄（小当たり判定図柄）は、『０，１，２，３，４，５，６，７，８，９』の１０通りの図柄とされており、所定条件に起因して変動及び停止表示される。
【００３８】
前記始動入賞装置１１は、本発明における第二入賞装置に相当し、図３にも示すように、上向きに開口して上方から遊技球の入球が可能とされた始動入球口（本発明の第二入球口に相当する）１２とその両側に設けられた２つの始動入賞装置用可動片１３，１４とを備え、背面の始動入賞装置用ソレノイド（図６に符号１５で示す）により略垂直な平行状態と、略Ｖ字形（逆ハの字形）をした拡開状態間を変動可能とされている。前記始動入賞装置用可動片１３，１４が略垂直な平行状態になると、遊技球が前記始動入球口１２に入球し難くなり、それに対し、前記始動入賞装置用可動片１３，１４が拡開状態になると、遊技球が前記始動入球口１２へ入球しやすくなる。本実施例では、前記始動入賞装置用可動片１３，１４は、通常時に略垂直状態とされ、前記普通図柄表示部９で普通図柄（小当たり判定図柄）が変動した後、予め決められた小当たりの普通図柄で確定停止表示されて小当たり（普通図柄当たり）が表示されることによって、前記拡開状態となる。また、前記始動入賞装置１１の背面側には前記始動入球口１２に遊技球が入球（入賞）したことを検出する始動入賞検出スイッチが設けられている。
【００３９】
前記大入賞装置２１は、本発明の入球装置に相当し、図２及び図３にも示すように、両側側部に横方向からの遊技球の入球が可能な大入賞入球口（本発明の入球口に相当する）２３，２４を左右対称に備え、前記大入賞入球口２３，２４が、開閉部材３３，３４によって開放及び閉鎖（塞ぐこと）が可能とされている。また、前記大入賞入球口２３，２４への遊技球の入球を検出する大入賞検出スイッチが、前記大入賞入球口２３，２４にそれぞれ設けられている。前記大入賞装置２１の前面には窓２２が形成されており、前記大入賞入球口２３，２４に入球した遊技球の動きを遊技者が見ることが可能となっている。さらに、本実施例では、前記大入賞装置２１の上部は前記始動入賞装置１１の下部に接している。
【００４０】
前記開閉部材３３，３４は、所定長の長さからなり、図３に示すように、長さ方向に沿う一端側を基部３５，３６とし、前記基部３５，３６に設けられた回動中心軸４１，４２を中心として遊技盤３の盤面と略平行に移動可能、本実施例では回動可能に前記大入賞入球口２３，２４の下部に軸支固定されている。前記開閉部材３３，３４は、前記大入賞入球口２３，２４の閉鎖時に、前記大入賞入球口２３，２４へ遊技球が入球し難いあるいは入球不可能なように（本実施例では入球不可能となるように）前記大入賞入球口２３，２４を塞ぐ第二位置となる。本実施例における第二位置は、前記開閉部材３３，３４が、略上下方向に起立した状態となる。一方、前記大入賞入球口２３，２４の開放時、前記開閉部材３３，３４は前記大入賞入球口２３，２４へ遊技球が第二位置と比べて入球し易い第一位置となる。本実施例では、前記開放時、前記開閉部材３３，３４は、移動軌跡（図２の符号Ｓで示す）が略扇形形状となるように前記大入賞入球口２３，２４の外方へ回動して前記大入賞入球口２３，２４の外方へ向けて略横方向になった状態の第一位置となる。さらに本実施例では、前記第一位置は、前記開閉部材３３，３４がわずかに斜め上方へ傾斜した状態となっているため、遊技球が前記開閉部材３３，３４の上面に沿って前記大入賞入球口２３，２４に誘導され易い。また、前記開閉部材３３，３４の基部３５，３６と先端間には、連結溝３７，３８が前記基部３５，３６側から所定長の長さで長孔形状に形成されている。本実施例の連結溝３７，３８は、遊技盤３の前後方向に貫通形成されている。
【００４１】
さらに前記大入賞装置２１の両側側部には、前記開閉部材３３，３４の下方に、連動可動部材４３，４４を備える。前記連動可動部材４３，４４は、略円弧状とされ、円弧の内周側が前記大入賞装置２１側となるようにして、円弧の長さ方向の一端側を基部４５，４６とし、前記基部４５，４６を下側にすると共に基部４５，４６に設けられた連動可動部材の回動中心軸５１，５２を中心として回動可能に軸支固定されている。また、前記連動可動部材４３，４４は、前記軸支固定側の基部４５，４６から離れた先端部に、遊技盤３側へ向けて突出した軸からなる連動可動部材側連結部４９，５０を備える。前記連動可動部材側連結部４９，５０は、前記開閉部材３３，３４における連結溝３７，３８に挿入されて係合し、それによって、前記開閉部材３３，３４と前記連動可動部材４３，４４が連結される。前記のように連結したことにより、前記連動可動部材４３，４４を回動させると、前記開閉部材３３，３４の連結溝３７，３８内を、前記連動可動部材３３，３４の連動可動部材側連結部４９，５０がスライドして、前記開閉部材３３，３４が前記連動可動部材３３，３４と略同方向へ回動するようになる。
【００４２】
前記開閉部材３３，３４及び前記連動可動部材４３，４４の駆動構造について、図３、図６及び図７を用いて説明する。なお、図７は、前記大入賞装置２１の左側に位置する開閉部材３３及び連動可動部材４３の駆動構造についてのみ示しているが、前記大入賞装置２１の右側に位置する開閉部材３４及び連動可動部材４４の駆動構造についても同様の構造からなる。
【００４３】
前記開閉部材３３，３４は、図６に示す台板１７と大入賞装置前側部材１８間に、前記基部３５，３６が回動中心軸４１，４２によって軸支されて、前記遊技盤３の前面と略平行に回動可能とされる。また、前記連動可動部材４３，４４は、前記基部４５，４６が回動中心軸５１，５２によって、前記台板１７における前記開閉部材３３，３４の基部３５，３６よりも下方、図示の例では略真下の位置に軸支されて、前記遊技盤３の前面と略平行に回動可能にされる。前記連動可動部材４３，４４の先端側には、前記連動可動部材側連結部４９，５０としての軸部材が一端側で固定され、前記連動可動部材側連結部４９，５０としての軸部材の他端側が、前記開閉部材３３，３４の連結溝３７，３８に挿入される。符号５４，５５は、前記連動可動部材４３，４４の回動中心軸５１，５２の保持用環状体である。
【００４４】
前記連動可動部材４３，４４の回動中心軸５１，５２は、前記台板１７を貫通して一端側で前記連動可動部材４３，４４の基部４５，４６に挿通固定され、他端側に前記連動可動部材４３，４４の回動中心軸５１，５２と平行な軸５６を有する第２揺動アーム５７がそれぞれ取り付けられる。前記連動可動部材４３，４４の回動中心軸５１，５２の上方には、前記回動中心軸５１，５２と直交方向に、連動可動部材回動用ソレノイド５８がそれぞれ配置される。前記連動可動部材回動用ソレノイド５８の前進後退作動部５９には、前記連動可動部材４３，４４の回動中心軸５１，５２と直交する面を揺動可能な第１揺動アーム６１が、ピン６３によって下向きに取り付けられている。また、前記第１揺動アーム６１の下部には前記連動可動部材４３，４４の回動中心軸５１，５２と平行な貫通孔６２が形成されており、前記貫通孔６２に前記第２揺動アーム５７の軸５６が挿入される。
【００４５】
このように構成された前記開閉部材３３，３４及び連動可動部材４３，４４は、前記連動可動部材回動用ソレノイド５８の前進後退作動部５９が前進後退すると、前記第１揺動アーム６１及び第２揺動アーム５７を介して前記連動可動部材４３，４４が基部４５，４６を中心として回動（揺動）する。また、前記連動可動部材４３，４４の回動（揺動）によって前記連動可動部材側連結部４９，５０が前記開閉部材３３，３４の連結溝３７，３８内をスライドし、前記開閉部材３３，３４がその基部３５，３６を中心として前記連動可動部材４３，４４の回動方向と同方向へ連動して略扇形形状に回動（揺動）し、前記第一位置と第二位置間を変位する。
【００４６】
図６に示したように、前記始動入賞装置１１及び前記大入賞装置２１は、前記台板１７を備え、前記台板１７によって前記遊技盤３に取り付けられる。前記台板１７の遊技盤３への取付は、ねじ等により行われる。また、前記台板１７と前記大入賞装置前側部材１８間には、前記開閉部材３３，３４が回動可能に軸支され、一方、前記台板１７と始動入装置前側部材１１ａ間には前記始動入賞装置用可動片１３，１４が回動可能に軸止される。前記大入賞装置前側部材１８及び前記始動入装置前側部材１１ａは、一種のカバー部材からなり、前記大入賞装置前側部材１８に前記窓２２が形成されている。なお、本実施例における前記台板１７には、前記始動入賞装置１１及び前記大入賞装置２１の他に、前記普通図柄変動開始用中ゲート７０、前記左袖入球口７２、前記右袖入球口７３、前記左落とし入球口７４及び前記右落とし入球口７５が取り付けられている。さらに、前記台板１７において前記始動入賞装置１１が取り付けられる上部は、前記始動入賞装置１１の取付に必要な大きさよりも大きめの特別台板部１７ａとされている。この大きめの特別台板部１７ａ設けたことにより、様々な部材を台板１７の裏側に設けてもそれらの部材が台板１７の前面側から見えるおそれを低減させることができる。
【００４７】
また、前記台板１７は、図８のように、前記大入賞装置（本発明の入賞装置）２１を前記遊技盤３に取り付けることが可能な第一台板１７ｂと、前記始動入賞装置（本発明の第二入賞装置）１１を遊技盤３に取り付けることが可能な第二台板１７ｃとで構成してもよい。このようにすれば、大入賞装置（入球装置）２１と始動入賞装置（第二入球装置）１１を各々独立して遊技盤３に着脱することが可能であり、例えば、大入賞装置（入球装置）２１と始動入賞装置（第二入球装置）１１の何れかあるいは両方が破損などした場合には、破損などした部材のみを交換することが可能となる。
【００４８】
また、前記遊技領域６には遊技球の自由な流下を規制する釘Ｋが複数設けられている。前記複数の釘Ｋの中には、前記遊技領域６を流下してきた遊技球を前記大入賞入球口２３，２４の横方向から前記大入賞入球口２３，２４の方向へ誘導する複数の誘導釘として、図２及び図３等に示すように、上誘導釘Ｋ１，Ｋ２、下誘導釘Ｋ３，Ｋ４及び第三誘導釘Ｋ５，Ｋ６が設けられている。前記誘導釘としての上誘導釘Ｋ１，Ｋ２、下誘導釘Ｋ３，Ｋ４及び第三誘導釘Ｋ５，Ｋ６は、前記開閉部材３３，３４の開閉を妨げないように、前記開閉部材３３，３４の移動範囲（移動軌跡を示す図２の鎖線Ｓと等しい範囲）より外方に設けられている。
【００４９】
前記上誘導釘Ｋ１，Ｋ２と前記下誘導釘Ｋ３，Ｋ４は、前記第一位置、すなわち前記大入賞入球口２３，２４の開放時における開閉部材３３，３４の先端付近に、かつ前記大入賞入球口２３，２４へ向けて横方向へ遊技球が通過可能なように略上下に離して設けられる。本実施例では、前記上誘導釘Ｋ１，Ｋ２が前記始動入賞装置１１の斜め下方側に配設されると共に、前記下誘導釘Ｋ３，Ｋ４よりも大入賞入球口２３，２４へ接近して配置され、これにより前記上誘導釘Ｋ１，Ｋ２と前記下誘導釘Ｋ３，Ｋ４は斜め方向の上下に位置している。また、前記上誘導釘Ｋ１，Ｋ２と前記下誘導釘Ｋ３，Ｋ４の間隔は、遊技球が通過可能なように少なくとも遊技球１個分より大とされている。さらに、本実施例では、前記開閉部材３３，３４が第一位置のときに、前記開閉部材３３，３４の先端と前記下誘導釘Ｋ３，Ｋ４との間が遊技球の通過不可能な間隔に設定されている。また、前記上誘導釘Ｋ１，Ｋ２と前記下誘導釘Ｋ３，Ｋ４の少なくとも一方は、前記大入賞入球口２３，２４への遊技球の入球し易さを調節可能な入球調節釘として機能する。例えば前記上誘導釘Ｋ１，Ｋ２と前記下誘導釘Ｋ３，Ｋ４の少なくとも一方について傾き等を変化させる等により、前記大入賞入球口２３，２４への遊技球の入球し易さを調節することができる。
【００５０】
前記第三誘導釘Ｋ５，Ｋ６は、前記遊技領域６を流下してきた遊技球を、前記上誘導釘Ｋ１，Ｋ２と前記下誘導釘Ｋ３，Ｋ４間へ誘導するために設けられる。前記第三誘導釘Ｋ５，Ｋ６の位置は、前記上誘導釘Ｋ１，Ｋ２及び前記下誘導釘Ｋ３，Ｋ４に対して、前記大入賞入球口２３，２４とは反対側とされ、かつ前記上誘導釘Ｋ１，Ｋ２と前記下誘導釘Ｋ３，Ｋ４と第三誘導釘Ｋ５，Ｋ６が三角形の頂点を構成する位置とされる。
【００５１】
前記大入賞入球口２３，２４の上方側には、前記大入賞入球口２３，２４の真上方向からの遊技球の入球を阻止すると共に入球が阻止された遊技球を前記上誘導釘Ｋ１，Ｋ２の方向へ導く阻止部材６８，６９が、前記大入賞装置２１の上部に接するように設けられている。本実施例では、前記阻止部材６８，６９が、前記始動入賞装置１１の両側側部から前記大入賞装置２１の上壁（図６に符号２１ａで示す）に接して、斜め下方側へ向けて設けられ、かつ前記上誘導釘Ｋ１，Ｋ２に向けてひさし状に設けられている。前記阻止部材６８，６９を前記大入賞装置２１の上部に接して設けたことにより、前記阻止部材６８，６９の配置場所を極力小さくすることが可能であると共に、前記阻止部材６８，６９と前記大入賞装置２１の上部間の隙間に遊技球が詰まるなどのおそれも低減することが可能である。
【００５２】
また、前記阻止部材６８，６９は、前記上誘導釘Ｋ１，Ｋ２にほぼ至り、前記阻止部材６８，６９の先端が前記上誘導釘Ｋ１，Ｋ２に接近している。前記阻止部材６８，６９において、前記大入賞装置２１の上方から側方へ張り出す長さは、下方に位置する大入賞入球装置２１の上壁及び前記第二位置にある開閉部材３３，３４の先端部を完全に覆うと共に前記上誘導釘Ｋ１，Ｋ２に近接する長さとされる。この構成により、前記大入賞装置２１の真上から流下する遊技球を、前記大入賞装置２１の上壁で滞ることなく上誘導釘Ｋ１，Ｋ２へスムーズに誘導することが可能となる。さらに、前記開閉部材３３，３４が第二位置にある場合に前記大入賞装置２１（特に前記大入賞入球口２３，２４）の真上から流下する遊技球が阻止部材６８，６９に当接するため、前記開閉部材３３，３４の先端部に遊技球が直接衝突することを防止することが可能となり、前記遊技球の直接衝突によって生じる開閉部材３３，３４の劣化などを防止することが可能である。
【００５３】
前記阻止部材６８，６９の先端と前記上誘導釘Ｋ１，Ｋ２間は、遊技球の通過不可能な間隔、すなわち遊技球１個分未満の間隔に設定されている。前記阻止部材６８，６９の先端と前記上誘導釘Ｋ１，Ｋ２の間には、遊技球滞留防止部材として滞留防止釘Ｋ７，Ｋ８が植設されている。前記遊技球滞留防止部材としての滞留防止釘Ｋ７，Ｋ８は、前記阻止部材６８，６９の先端と前記上誘導釘Ｋ１，Ｋ２の間に遊技球が滞留するのを防止するものであり、前記阻止部材６８，６９から前記上誘導釘Ｋ１，Ｋ２へのほぼ延長線上に設けられている。さらに、前記上誘導釘Ｋ１，Ｋ２及び前記阻止部材６８，６９の少なくとも一方（本実施例では両方）は、前記開閉部材３３，３４が第二位置（前記大入賞入球口２３，２４へ遊技球が入球し難いあるいは入球不可能な位置）のときに前記開閉部材３３，３４の先端側との間が遊技球の通過不可能な間隔、すなわち遊技球１個分未満の間隔に設定され、それにより前記開閉部材３３，３４が第二位置のときに遊技球が前記上誘導釘Ｋ１，Ｋ２及び前記阻止部材６８，６９と前記開閉部材３３，３４との隙間から大入賞入球口２３，２４へ入球するのを防ぐことが可能となる。なお、前記阻止部材６８，６９は合成樹脂あるいは金属からなるもの、または合成樹脂と金属の両方からなるものの何れであってもよい。
【００５４】
前記普通図柄変動開始用中ゲート７０及び普通図柄変動開始用左ゲート７２の背面には遊技球が前記両ゲート７０，７２に入球したことを検出する普通図柄変動開始スイッチを備えている。また、前記左袖入球口７３と前記右袖入球口７４の背面には遊技球が前記左袖入球口７３と前記右袖入球口７４に入球したことを検出する左袖入球口検出スイッチと右袖入球口検出スイッチを備え、一方、前記左落とし入球口７５と前記右落とし入球口７６の背面には左落とし入球口検出スイッチと右落とし入球口検出スイッチを備えている。さらに、前記遊技機１の背面側には、ＣＰＵを備えた制御装置が遊技の制御のために設けられている。
【００５５】
なお、図１における符号Ｆ１は外枠、Ｆ２は外枠Ｆ１に取り付けられた前面枠、Ｇは前面枠Ｆ２に開閉可能にヒンジで取り付けられたガラス枠である。また、前記弾球遊技機１の前面側には、枠飾り左ランプ７９、枠飾り右ランプ８０及び枠飾りランプ８１，８２、払い出された遊技球を受けるための上側球受け皿８４、該上側球受け皿８４の飽和時に遊技球を受けるための下側球受け皿８５、効果音等を発するスピーカ８７、遊技者の発射操作に応じて遊技球を遊技領域６に向けて弾発発射する発射装置９１等がそれぞれ組み付けられている。前記発射装置９１は、操作ハンドル９２の操作により駆動する発射モータを裏側に有し、該発射モータの駆動により遊技球を弾発発射するようになっている。前記発射装置９１により発射された遊技球は、前記外側誘導レール４と内側誘導レール５間で構成される発射球誘導路を介して遊技領域６に誘導され、前記遊技領域６を転動しつつ下方へ落下する。また、この例の弾球遊技機１には、プリペイドカードユニット９５が接続されている。
【００５６】
ここで、前記弾球遊技機１が行う遊技及び遊技球の流れについて簡単に説明する。前記弾球遊技機１では、前記発射装置９１により遊技領域６へ向けて発射された遊技球が、前記普通図柄変動開始用中ゲート７０及び普通図柄変動開始用左ゲート７２を通過すると、小当たり判定・普通図柄決定用乱数値が取得され、その取得乱数値に基づいて普通図柄の当たり（小当たり）判定が行われ、前記普通図柄表示部９で普通図柄が変動を開始し、所定時間変動後に停止する。その際、普通図柄の当たり判定結果が小当たりの場合には、小当たり普通図柄、この例では奇数で停止し、前記始動入賞装置１１の２つの可動片１３，１４が背面の始動入賞装置用ソレノイド１５によって略垂直で入賞し難い狭小開放状態（通常状態）から略Ｖ字形（逆ハの字形）の入賞し易い拡開開放状態に変化し、遊技球が始動入球口１２に入賞（入球）し易くなる。そして、前記始動入球口１２に遊技球が入賞すると、所定数の遊技球が賞球として払い出される。
【００５７】
また、前記始動入球口１２に遊技球が入賞すると、大当たり当否判定用乱数値が取得され、前記取得された大当たり当否判定用乱数値に基づいて大当たりの当否判定が行われ、前記特別図柄表示部８で特別図柄が変動を開始し、所定時間変動後に停止する。
【００５８】
前記大当たりの当否判定結果が大当たりの場合には、前記特別図柄表示部８に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な特別遊技（大当たり遊技）に移行する。前記特別遊技になると、前記大入賞装置２１における連動可動部材回動用ソレノイド５８の前進後退作動部５９が、それまでの後退した収縮状態から前進して伸長状態になる。それによって、前記第１揺動アーム６１及び第２揺動アーム５７が揺動して、前記連動可動部材４３，４４及び前記開閉部材３３，３４が、前記第二位置（図４の状態）、すなわち遊技球が前記大入賞入球口２３，２４へ入球し難い、あるいは入球不可能な状態から、前記第一位置（図５の状態）、すなわち前記遊技球が前記大入賞入球口２３，２４へ入球し易い状態へ略扇形形状に回動して前記大入賞入球口２３，２４が開放される。図４及び図５における符号Ｐは遊技球を示す。
【００５９】
前記大入賞入球口２３，２４の開放状態（開閉部材３３，３４が第一位置）のときに前記遊技領域６を流下する遊技球は、次の何れかの流路を通って流下する。
【００６０】
前記大入賞装置２１の上方から遊技球が流下する場合、遊技球は前記始動入球口１２に入球するか、前記阻止部材６８，６９と当接して阻止部材６８，６９に沿って前記上誘導釘Ｋ１，Ｋ２へ誘導される。前記阻止部材６８，６９によって上誘導釘Ｋ１，Ｋ２へ誘導されてきた遊技球は、前記上誘導釘Ｋ１，Ｋ２と下誘導釘Ｋ３，Ｋ４の間を通り、さらに前記開閉部材３３，３４に沿って横方向から前記大入賞入球口２３，２４へ向けて誘導され、前記大入賞入球口２３，２４に入賞（入球）するか、あるいは前記第三誘導釘Ｋ５，Ｋ６と当接して前記上誘導釘Ｋ１，Ｋ２と下誘導釘Ｋ３，Ｋ４の方向へ誘導され、前記上誘導釘Ｋ１，Ｋ２と下誘導釘Ｋ３，Ｋ４の間を通り、さらに前記開閉部材３３，３４に沿って横方向から前記大入賞入球口２３，２４に入賞（入球）するか、前記第三誘導釘Ｋ５，Ｋ６と下誘導釘Ｋ３，Ｋ４間を通過して前記アウト口７１へ誘導されるかの何れかの流路を通る。
【００６１】
また、前記阻止部材６８，６９に沿って遊技球が流下する際、前記阻止部材６８，６９と前記上誘導釘Ｋ１，Ｋ２間に前記遊技球滞留防止部材として滞留防止釘Ｋ７，Ｋ８が存在するため、及び前記阻止部材６８，６９の先端が前記上誘導釘Ｋ１，Ｋ２間に殆ど隙間が無いため、前記阻止部材６８，６９と前記上誘導釘Ｋ１，Ｋ２間に遊技球が滞留することなく上誘導釘Ｋ１，Ｋ２へスムーズに誘導することができ、大入賞入球口２３，２４への入賞率を安定させることができる。さらに、遊技球が前記始動入賞装置１１の側面等に一度当接して跳ねた後に前記阻止部材６８，６９の上に落下したり、遊技球が直接阻止部材６８，６９の上に落下したりしても、前記阻止部材６８，６９によって衝撃を吸収することができるので、遊技球をスムーズに上誘導釘Ｋ１，Ｋ２へ誘導することが可能である。
【００６２】
それに対して、前記大入賞装置２１の横方向から流下する遊技球は、そのまま前記上誘導釘Ｋ１，Ｋ２と下誘導釘Ｋ３，Ｋ４の間を通り、さらに前記開閉部材３３，３４に沿って横方向から前記大入賞入球口２３，２４に入賞（入球）するか、前記第三誘導釘Ｋ５，Ｋ６と下誘導釘Ｋ３，Ｋ４間を通過して前記アウト口７１へ誘導されるかの何れかの流路を通る。
【００６３】
前記大入賞入球口２３，２４へ遊技球が入賞（入球）すると、その入賞（入球）を前記大入賞検出スイッチにより検出し、入球数をカウントする。そして前記開閉部材３３，３４は、所定時間（例えば２９．５秒）経過後、或いは大入賞検出スイッチのカウント数が所定個数（例えば１０個）となった時点で閉じる。なお、前記大入賞入球口２３，２４への入賞が検出されると、所定数の遊技球が賞球として遊技者に払い出される。
【００６４】
本実施例の弾球遊技機は、上記構成としたことにより、例えば入球装置の複雑化や巨大化等によって大入賞装置２１の真上付近に誘導釘を配置する場所が制限された場合においても、大入賞入球口２３，２４の上方から流下してくる遊技球を誘導釘へ導いて入球口へ誘導することが可能となり、また、遊技球の流路途中に遊技球の詰まりや滞留を防いで大入賞入球口２３，２４への入賞率を安定させることが可能になったのである。なお、本発明とは異なり、前記阻止部材６８，６９と前記上誘導釘Ｋ１，Ｋ２間に、遊技球の通過可能な隙間が存在する場合には、前記阻止部材６８，６９と前記上誘導釘Ｋ１，Ｋ２間に遊技球が詰まって遊技球を大入賞入球口２３，２４へスムーズに誘導できなくなったり前記上誘導釘Ｋ１，Ｋ２と前記阻止部材６８，６９の間を遊技球が通過するため、大入賞入球口２３，２４への入賞率を安定させることができなくなる。また、本発明とは異なり、前記阻止部材６８，６９を設けなかった場合には、前記大入賞装置２１の上壁上に遊技球が直接当接して跳ね上がったり、前記上壁と上誘導釘Ｋ１，Ｋ２間の隙間が大きくなったりするため、上方から流下してきた遊技球が前記上壁と上誘導釘Ｋ１，Ｋ２間の隙間に詰まったり、前記上壁と上誘導釘Ｋ１，Ｋ２間の隙間を通ってそのまま大入賞入球口２３，２４に入球して入賞率が過度に大となったりして、大入賞入球口２３，２４への入賞率を安定させることができなくなる。
【００６５】
さらに、本実施例の弾球遊技機は、大入賞入球口（入球口）２３，２４へ真上方向から直接入球することが不可能とされ、横方向からのみ入球可能とされているため、例えば、真上からでも横方向からでも入球可能な従来の大入賞入球口と比べて、入球口への入賞率が過度に大きくなるのを防止することが可能となったのである。
【００６６】
なお、本発明は、前記の実施例に限定されるものではなく、発明の趣旨を逸脱しない範囲において構成の一部を適宜に変更して実施することができる。例えば、本実施例では、前記大入賞入球口は左右対称に大入賞装置の両側側部に設けられているが、左右対称でなくてもよく、また何れか片側のみでもよい。さらに前記阻止部材も左右対称でなくてもよく、また前記大入賞入球口に合わせて片側のみでもよい。また、前記開閉部材は、前記第二位置のときに大入賞入球口との間に遊技球が入球可能な隙間を生じるようにし、かつ前記第一位置のときよりも大入賞入球口へ入球困難としてもよい。また、上方に阻止部材が設けられ、かつ誘導釘によって遊技球が誘導されると共に開閉部材が設けられる入球口は大入賞入球口に限定されず、他の入球口であってもよく、本発明における入球装置も大入賞装置に限定されない。さらに、前記始動入球口は、可動片により開閉するものに限られず、可動片が存在することなく、常時入球可能に開口しているものでもよい。また、第二入球口は始動入球口に限定されず、第二入球装置も始動入球装置に限定されるものではない。さらに、遊技球滞留防止部材は滞留防止釘に限られず、他の部材であってもよい。さらに、入球口へ遊技球を誘導するための誘導釘として本実施例では第一ないし第三誘導釘を設けたが、さらに他の誘導釘を設けてもよい。
【図面の簡単な説明】
【００６７】
【図１】本発明の一実施例に係る弾球遊技機を示す正面図である。
【図２】同弾球遊技機の遊技盤の正面図である。
【図３】同弾球遊技機の大入賞入球口付近の正面図である。
【図４】同大入賞入球口の開閉部材が第二位置の状態を示す遊技盤の正面図である。
【図５】同大入賞入球口の開閉部材が第一位置の状態を示す遊技盤の正面図である。
【図６】同弾球遊技機の台板と大入賞装置及び始動入賞装置の分解斜視図である。
【図７】同大入賞装置の開閉部材が第一位置のときと第二位置のときの状態を示す斜視図及び開閉部材と連動可動部材の分解斜視図である。
【図８】台板の他の例を示す斜視図である。
【符号の説明】
【００６８】
１  弾球遊技機
３  遊技盤
６  遊技領域
７  表示装置
１１  始動入賞装置（第二入球装置）
１２  始動入球口（第二入球口）
１７  台板
２１  大入賞装置（入球装置）
２３，２４  大入賞入球口（入球口）
３３，３４  開閉部材
６８，６９  阻止部材
Ｋ１，Ｋ２  上誘導釘
Ｋ３，Ｋ４  下誘導釘
Ｋ７，Ｋ８  滞留防止釘（遊技球滞留防止部材）
【図１】
2006333885.tif 000003
【図２】
2006333885.tif 000004
【図３】
2006333885.tif 000005
【図４】
2006333885.tif 000006
【図５】
2006333885.tif 000007
【図６】
2006333885.tif 000008
【図７】
2006333885.tif 000009
【図８】
2006333885.tif 000010